(57)【特許請求の範囲】
【請求項１】
ケース本体と、該ケース本体の開口面を開閉自在に覆う外蓋体と、施蓋時にこれらケース本体と外蓋体との間に内蔵される中蓋体とを少なくとも備え、該中蓋体における前記外蓋体との対向面には、２本のテストリード棒の収納を自在に凹設された収納部と、該収納部を除く部位にて各テストリード棒が有するコードを捲着させるべく突設した少なくとも１個以上の突起部とを備え、中蓋体の前記収納部内の長さ方向での一側部には、一方のテストリード棒の保持が自在なホルダを配設し、施蓋時に該ホルダと対面する部位に位置する外蓋体の側板部には、ホルダに保持させた一方のテストリード棒の接触ピンを含む部位の外部への導出が自在な導出用切欠部を、前記外蓋体の側板部には、外に持ち出されたテストリード棒が有するコードの引出しを自在とした引出し用切欠部をそれぞれ設けたことを特徴とする携帯用測定器。
【請求項２】
前記突起部の頂部には、捲着されたコードの抜脱を阻止する庇部を設けたことを特徴とする請求項１記載の携帯用測定器。
【発明の詳細な説明】
【０００１】
【発明の属する技術分野】
本発明は、２本のテストリード棒を用いた電圧等の測定作業を円滑に遂行できるようにした携帯用測定器に関する。
【０００２】
【従来の技術】
手軽に持ち運びができるディジタルテスタやアナログテスタなどのような携帯用測定器においては、通常、２本のテストリード棒を用いて被測定対象物の電流値や電圧値や抵抗値を測定したり、電気的な導通試験を行ったりする機能が付与されている。
【０００３】
この場合、上記携帯用測定器からは、把持部の側から接触ピンを突設してなる２本のテストリード棒がコードを介して各別に引き出されており、一方のテストリード棒は一方の手でその把持部を、他方のテストリード棒は他方の手でその把持部をそれぞれ把持し、被測定対象物の所定位置に各別に接触ピンを接触させることにより必要な測定作業が行われることになる。
【０００４】
【発明が解決しようとする課題】
しかし、現場での実際の測定作業時には、テストリード棒を個別に把持する必要から両手が塞がってしまうので、携帯用測定器自体は机などに置かざるを得なくなり、例えばレンジ設定などのように各種の設定操作が必要になる都度、測定作業を中断してテストリード棒から手を離した上で、必要な操作作業を行わなければならない煩雑さと不便さとがあった。
【０００５】
また、測定時には、携帯用測定器の側から引き出されているコードが必要以上に垂れ下がるなどしてまとわりつき、円滑な測定作業を阻害するという不都合もあった。
【０００６】
本発明は従来技術にみられた上記課題に鑑み、一方のテストリード棒は携帯用測定器自体に保持させて手で把持する必要をなくすことができるほか、測定時にコードが不必要に垂れ下がることもなくすことができる使い勝手のよい携帯用測定器を提供することに目的がある。
【０００７】
【課題を解決するための手段】
本発明は上記目的を達成すべくなされたものであり、その構成上の特徴は、ケース本体と、該ケース本体の開口面を開閉自在に覆う外蓋体と、施蓋時にこれらケース本体と外蓋体との間に内蔵される中蓋体とを少なくとも備え、該中蓋体における前記外蓋体との対向面には、２本のテストリード棒の収納を自在に凹設された収納部と、該収納部を除く部位にて各テストリード棒が有するコードを捲着させるべく突設した少なくとも１個以上の突起部とを備え、中蓋体の前記収納部内の長さ方向での一側部には、一方のテストリード棒の保持が自在なホルダを配設し、施蓋時に該ホルダと対面する部位に位置する外蓋体の側板部には、ホルダに保持させた一方のテストリード棒の接触ピンを含む部位の外部への導出が自在な導出用切欠部を、前記外蓋体の側板部には、外に持ち出されたテストリード棒が有するコードの引出しを自在とした引出し用切欠部をそれぞれ設けたことことにある。
【０００８】
【０００９】
さらに、上記発明における突起部の頂部には、捲着されたコードの抜脱を阻止する庇部を設けておくのが好ましい。
【００１０】
【発明の実施の形態】
図１は本発明の一例についての開蓋状態を示す正面図であり、図２はテストリード棒を省略した図１の底面図を、図３は施蓋時における正面図を、図４（ａ）は図３の平面図を、図４（ｂ）は図３の底面図を、図５は図３におけるＡ−Ａ線矢視方向での縦断面図をそれぞれ示す。
【００１１】
これらの図によれば、携帯用測定器１１の全体は、略方形などの適宜の平面形状を呈して形成されているケース本体１２と、該ケース本体１２の開口面１２ａを開閉自在に覆う外蓋体２２と、施蓋時にこれらケース本体１２と外蓋体２２との間に内蔵される中蓋体３２とを少なくとも備えて構成されている。
【００１２】
このうち、ケース本体１２は、表面側にソーラパネルＳのほか、レンジ等を設定するためのダイヤル１４や測定値等を表示する液晶表示部１５などを配設してなる表板部１３と、該表板部１３の周囲を適宜高さで囲繞する側板部１６とで形成されている。
【００１３】
また、ケース本体１２の長さ方向に位置する一方の側板部１６の端面１６ａ側には、相互の開口面を向き合わせた嵌合穴１８を有して離間配置された一対の軸受け部１７，１７が配設されている。
【００１４】
外蓋体２２は、ケース本体１２の開口面１２ａを覆う蓋板部２３と、該蓋板部２３の周囲を適宜高さで囲繞し、かつ、側板部１６の端面１６ａと対面合致するようにして当接する端面２４ａを有してなる側板部２４とで形成されている。
【００１５】
しかも、ケース本体１２の軸受け部１７，１７と対面する外蓋体２２の端面２４ａ側には、それぞれの嵌合穴１８，１８への嵌め込みを自在とした嵌合突起２６，２６を有する支軸部２５が設けられており、これら嵌合突起２６，２６を対応する嵌合穴１８，１８に嵌め込むことにより、ケース本体１２に対し外蓋体２２を開閉自在に軸支できるようになっている。また、支軸部２５が設けられている側板部２４とは反対側に位置する蓋板部２３の側板部２４には、施蓋時に中蓋体３２の対応部位への圧接を自在とした圧接片２７が付設されている。
【００１６】
一方、ケース本体１２と外蓋体２２との間に内蔵される中蓋体３２は、ケース本体１２の開口面１２ａを覆うように配置される天板部３３と、該天板部３３の周縁から垂設されてケース本体１２の側板部１６の内周側に沿うように配置される裾板部３４とで形成されている。
【００１７】
しかも、蓋板部２３と対面する側の天板部３３には、その長さ方向での一側半分寄りに２本のテストリード棒４１，４１の収納を自在とした収納部３５がケース本体１２側に向かって凹設されている。この場合、該収納部３５の適宜位置には、不使用時における２本のテストリード棒４１，４１を安定的に定置させる計３本の支持片３６，３６，３６を立設し、それぞれの支持片３６，３６相互間に各別にテストリード棒４１の把持部４２を挟持もしくは保持できるようにしておくのが望ましい。
【００１８】
また、天板部３３の長さ方向での他側半分寄りには、収納部３５に収納した２本のテストリード棒４１，４１が有するコード４５，４５を捲着させるべく相互を適宜間隔を離間させた一対の突起部３８，３８が立設されている。なお、突起部３８は、図示例に限定されるものではなく、１個以上の柱状体を適宜位置に立設することにより形成することもできる。また、突起部３８の頂部３８ａには、捲着されたコード４５の抜脱を阻止すべく面方向に張り出させた庇部３９を設けておくのが好ましい。
【００１９】
さらに、中蓋体３２の収納部３５内の長さ方向での一側部３５ａには、収納部３５の長さ方向に沿わせて一方のテストリード棒４１をその把持部４２を介して保持できるホルダ３７が配設されている。この場合、該ホルダ３７は、適宜形状のものを採用できるが、把持部４２の段部４３と当接してテストリード棒４１のそれ以上の後退を阻止し得る内径を有し、かつ、その頂部にコード４５を導入し得る程度の狭幅なスリット３７ａを有する略円筒状に形成しておくのが好ましい。なお、図１と図４とにおける符号４０は、コード４５をケース本体１２内側から引き出すための導出溝を示す。
【００２０】
しかも、施蓋時にホルダ３７と対面する部位に位置するケース本体１２の側板部１６と、外蓋体２２の側板部２４とのそれぞれには、ホルダ３７に保持させたテストリード棒４１の接触ピン４４を含む部位の外部への導出が自在な導出用切欠部１９，２８がそれぞれ設けられている。この場合、ホルダ３７の高さ如何によっては、外蓋体２２の側板部２４の側にのみ導出用切欠部２８を設けておくこともできる。
【００２１】
また、該導出用切欠部２８とは反対側に位置する外蓋体２２の側板部２４には、外に持ち出された他方のテストリード棒４１が有するコード４５の引出しを自在とした引出し用切欠部２９が設けられている。なお、外蓋体２２の蓋板部２３の対応部位には、中蓋体３２の突起部３８が有する庇部３９を導入できる切欠窓３０を設けておくことができる。
【００２２】
本発明はこのようにして構成されているので、不使用時における携帯用測定器１１は、コード４５，４５を一対の突起部３８，３８を介して捲着した上で中蓋体３２の収納部３５内に２本のテストリード棒４１を収容し、外蓋部２２を閉じてコンパクト化することにより手軽に持ち運ぶことができる。しかも、突起部３８が庇部３９を有している場合には、捲着後の抜脱をなくしてコード４５を安定的に捲着しておくことができる。
【００２３】
一方、通常の使用時においては、外蓋部２２を開いて一対の突起部３８，３８に捲着されているコード４５，４５を外しながら２本のテストリード棒４１を取り出し、引出し用切欠部２９を介してコード４５，４５を引き出した上で外蓋部２２を閉じることにより、双方の手で各別にテストリード棒４１を把持しながらの測定作業に入ることができる。この場合、一対の突起部３８，３８に不要長さ分のコード４５，４５を捲着しておくことにより、引き出されているコード４５，４５が必要以上に垂れ下がるのを防止して円滑に測定作業を遂行できる。
【００２４】
また、測定時に片手を空けておく必要がある場合には、外蓋部２２を開いて一方のテストリード棒４１を取り出し、ホルダ３７に把持部４２の段部４４が係止するに至るまで外側から差し込んで保持させるとともに、他方のテストリード棒４１を一対の突起部３８，３８に捲着されているコード４５を外しながら取り出した上で、外蓋部２２を閉じることにより、図６に示すように一方のテストリード棒４１は携帯用測定器１１の側に支持させ、他方のテストリード棒４１は片手で把持できるように配置できる。このため、例えばレンジ設定のためにダイヤル１４を回すなど、各種の設定操作が必要になっても、空いている片手を用いて必要な操作作業を行うことができるので、測定作業を効率よく円滑に遂行することができる。
【００２５】
【発明の効果】
以上述べたように本発明によれば、不使用時における携帯用測定器は、コードを突起部を介して捲着した上で収納部内に２本のテストリード棒を収容し、外蓋部を閉じてコンパクト化することにより手軽に持ち運ぶことができる。また、突起部が庇部を有している場合には、コードを安定的に捲着しておくことができる。
【００２６】
一方、通常の使用時においては、突起部に捲着されているコードを外しながら２本のテストリード棒を取り出して双方の手で各別にテストリード棒を把持しながらの測定作業に入ることができる。この場合、突起部に不要長さ分のコードを捲着しておくことにより、引き出されているコードが必要以上に垂れ下がるのを防止して円滑に測定作業を遂行できる。
【００２７】
また、測定時に片手を空けておく必要がある場合には、外蓋部を開いて一方のテストリード棒を取り出し、ホルダに外側から差し込んで保持させるとともに、他方のテストリード棒を一対の突起部に捲着されているコードを外しながら引出し用切欠部を介して引き出した上で、外蓋部を閉じることにより、一方のテストリード棒は携帯用測定器の側に支持させ、他方のテストリード棒は片手で把持できるように配置できる。このため、例えばレンジ設定などの各種の設定操作が必要になっても、空いている片手を用いて必要な操作作業を行うことができるので、測定作業を効率よく円滑に遂行することができる。
【図面の簡単な説明】
【図１】  本発明の一例を開蓋状態で示す正面図。
【図２】  テストリード棒を省略して示す図１の底面図。
【図３】  本発明の一例を施蓋状態で示す正面図。
【図４】  （ａ）は図２の平面図を、（ｂ）は図２の底面図をそれぞれ示す。
【図５】  図２のＡ−Ａ線矢視方向での縦断面図。
【図６】  本発明の使用状態の一例を示す斜視図。
【符号の説明】
１１  携帯用測定器
１２  ケース本体
１２ａ  開口面
１３  表板部
１４  ダイヤル
１５  液晶表示部
１６  側板部
１６ａ  端面
１７  軸受け部
１８  嵌合穴
１９  導出用切欠部
２２  外蓋部
２３  蓋板部
２４  側板部
２４ａ  端面
２５  支軸部
２６  嵌合突起
２７  圧接片
２８  導出用切欠部
２９  引出し用切欠部
３０  切欠窓
３２  中蓋部
３３  天板部
３４  裾板部
３５  収納部
３５ａ  一側部
３６  支持片
３７  ホルダ
３７ａ  スリット
３８  突起部
３８ａ  頂部
３９  庇部
４０  導出溝
４１  テストリード棒
４２  把持部
４３  段部
４４  接触ピン
４５  コード
Ｐ  ソーラパネル
【図１】
0003769422.tif 000002
【図２】
0003769422.tif 000003
【図３】
0003769422.tif 000004
【図４】
0003769422.tif 000005
【図５】
0003769422.tif 000006
【図６】
0003769422.tif 000007